(57)【要約】本発明は二重ガラス窓断熱システムに関する。本発明に係る二重ガラス窓断熱システムは、２枚の窓ガラスの間に形成されるチャンバと、前記チャンバに複数のビーズと空気が流入するビーズ流入口と、前記チャンバに収容された前記複数のビーズと空気が排出されるビーズ排出口と、前記チャンバに空気が出入りする空気出入口を形成する二重ガラス窓と、前記チャンバに収容された前記複数のビーズを前記ビーズ排出口に排出させるビーズ排出手段と含むことを特徴とする。
2020516799.tif 000002
【特許請求の範囲】
【請求項１】
２枚の窓ガラスの間に形成されるチャンバと、
前記チャンバに複数のビーズと空気が流入するビーズ流入口と、
前記チャンバに収容された前記複数のビーズと空気が排出されるビーズ排出口と、
前記チャンバに空気が出入りする空気出入口を形成する二重ガラス窓と、
前記チャンバに収容された前記複数のビーズを前記ビーズ排出口に排出するビーズ排出手段と、
を含む二重ガラス窓断熱システム。
【請求項２】
前記ビーズ排出手段は、
前記ビーズ排出口の反対側に前記チャンバと連通するように設けられ、前記チャンバに空気を流入するチャンバ空気流入管と、
前記チャンバ空気流入管に設けられ、前記チャンバ空気流入管を開閉するチャンバ空気流入管用弁と、
を含むことを特徴とする請求項１に記載の二重ガラス窓断熱システム。
【請求項３】
前記ビーズ排出手段は、
互いに長さが異なる複数のパイプで積層形成され、前記チャンバの底部又は前記チャンバ空気流入管に設けられ、前記チャンバ空気流入管に沿って流動する空気を前記ビーズ排出口に向かって噴射させる空気噴射部材を更に含むことを特徴とする請求項１に記載の二重ガラス窓断熱システム。
【請求項４】
前記ビーズ排出手段は、
螺旋状を有し、前記ビーズ排出口に向かって前記チャンバの底部に回転可能に設けられるスクリュ軸と、
前記スクリュ軸を回転させるスクリュ軸駆動モータと、
を更に含むことを特徴とする請求項１に記載の二重ガラス窓断熱システム。
【請求項５】
前記ビーズ排出手段は、
前記チャンバの底部に設けられて無限軌道を形成し、前記チャンバに収容された前記複数のビーズを前記ビーズ排出口に向かって排出させるベルトコンベヤを更に含むことを特徴とする請求項１に記載の二重ガラス窓断熱システム。
【請求項６】
前記複数のビーズを貯蔵する貯蔵槽と、
前記チャンバの空気を吸引送風又は圧入送風し、前記貯蔵槽に貯蔵された前記複数のビーズを前記チャンバに充填するか、又は前記チャンバに充填された前記複数のビーズを前記貯蔵槽に排出するメイン送風装置と、
を含むことを特徴とする請求項１に記載の二重ガラス窓断熱システム。
【請求項７】
前記貯蔵槽に繋がり、前記複数のビーズが流動するように案内するビーズ流動管と、
前記ビーズ流動管から分岐され、前記ビーズ流入口に繋がるビーズ供給管と、
前記ビーズ流動管から分岐され、前記ビーズ排出口に繋がるビーズ排出管と、
前記貯蔵槽に繋がり、前記貯蔵槽から排出される空気の流動を案内する空気排出管と、
前記空気出入口に繋がり、前記空気出入口に出入りする空気の流動を案内する空気流動管と、
前記空気流動管及び前記空気排出管と連通し、前記メイン送風装置が設けられる連通管と、
を含むことを特徴とする請求項６に記載の二重ガラス窓断熱システム。
【請求項８】
前記空気流動管から分岐され、空気の流動を案内する分岐管と、
前記分岐管に設けられ、前記分岐管を開閉する分岐管用弁と、
前記分岐管に設けられ、前記分岐管と前記空気流動管を介して前記チャンバに圧入送風する補助送風装置と、
を更に含むことを特徴とする請求項７に記載の二重ガラス窓断熱システム。
【請求項９】
前記チャンバ空気流入管は、前記空気流動管又は前記分岐管から分岐されることを特徴とする請求項２に記載の二重ガラス窓断熱システム。
【請求項１０】
前記ビーズ流動管に設けられ、前記ビーズ流動管を開閉するビーズ流動管用弁と、
前記ビーズ供給管に設けられ、前記ビーズ供給管を開閉するビーズ供給管用弁と、
前記ビーズ排出管に設けられ、前記ビーズ排出管を開閉するビーズ排出管用弁と、
前記空気排出管に設けられ、前記空気排出管を開閉する空気排出管用弁と、
前記空気流動管に設けられ、前記空気流動管を開閉する空気流動管用弁とを含み、
前記複数のビーズが前記貯蔵槽から前記チャンバに充填されるとき、前記ビーズ流動管用弁と前記ビーズ供給管用弁は開放され、前記ビーズ排出管用弁は閉鎖され、
前記複数のビーズが前記チャンバから前記貯蔵槽に排出されるとき、前記ビーズ流動管用弁と前記ビーズ排出管用弁は開放され、前記ビーズ供給管用弁は閉鎖されることを特徴とする請求項７に記載の二重ガラス窓断熱システム。
【請求項１１】
前記ビーズ供給管又はビーズ流動管から分岐され、前記貯蔵槽に繋がるビーズ回収管と、
前記ビーズ回収管に設けられ、前記ビーズ回収管を開閉するビーズ回収管用弁とを更に含み、
前記複数のビーズが前記貯蔵槽から前記チャンバに充填されるとき、前記ビーズ回収管用弁は閉鎖され、
前記複数のビーズが前記チャンバから前記貯蔵槽に排出されるとき、前記ビーズ回収管用弁は開放されることを特徴とする請求項１０に記載の二重ガラス窓断熱システム。
【請求項１２】
前記分岐管から前記ビーズ流動管又は前記貯蔵槽の下端に繋がり、前記補助送風装置から送風される空気を前記ビーズ流動管又は前記貯蔵槽の下端に流動するように案内する補助空気流動管と、
前記補助空気流動管に設けられ、前記補助空気流動管を開閉する補助空気流動管用弁と、
を更に含むことを特徴とする請求項８に記載の二重ガラス窓断熱システム。
【請求項１３】
前記チャンバと前記ビーズ流動管とを繋ぎ、前記チャンバから前記貯蔵槽に排出される前記複数のビーズが流動する補助ビーズ排出管と、
前記補助ビーズ排出管に設けられ、前記補助ビーズ排出管を開閉する補助ビーズ排出管用弁と、
を更に含むことを特徴とする請求項７に記載の二重ガラス窓断熱システム。
【請求項１４】
前記分岐管に設けられ、前記分岐管を流動する空気をイオン化させるイオン発生器と、
前記分岐管に設けられ、前記分岐管を流動する空気の温度を調節する温度調節器と、
前記分岐管に設けられ、前記分岐管を流動する空気の湿度を調節する湿度調節器と、
を更に含むことを特徴とする請求項８に記載の二重ガラス窓断熱システム。
【請求項１５】
前記貯蔵槽に設けられ、前記貯蔵槽に収容された複数のビーズを攪拌する攪拌器を更に含むことを特徴とする請求項６に記載の二重ガラス窓断熱システム。
【請求項１６】
前記貯蔵槽の温度を測定する温度測定センサと、
前記貯蔵槽の湿度を測定する湿度測定センサと、
前記貯蔵槽に収容された前記複数のビーズ間の静電気を測定する静電気測定センサと、
を更に含むことを特徴とする請求項６に記載の二重ガラス窓断熱システム。
【請求項１７】
前記チャンバに設けられ、前記チャンバに空気のみ出入可能にするチャンバ用ビーズ遮断部材を更に含み、
前記チャンバ用ビーズ遮断部材は、前記ビーズ流入口と前記ビーズ排出口の反対側に垂直に配置される「ｌ」字状の断面形状に前記チャンバに設けられるか、又は前記ビーズ流入口と前記ビーズ排出口の反対側に垂直に配置されるとともに、前記チャンバの上側に水平に配置される「逆Ｌ」字状の断面形状に前記チャンバに設けられるか、又は前記ビーズ流入口と前記ビーズ排出口の反対側に垂直に配置されるとともに、前記チャンバの下側に水平に配置される「Ｌ」字状の断面形状に前記チャンバに設けられるか、又は前記ビーズ流入口と前記ビーズ排出口の反対側に垂直に配置されるとともに、前記チャンバの上側と下側にそれぞれ水平に配置される「逆コ」字状の断面形状に前記チャンバに設けられることを特徴とする請求項１に記載の二重ガラス窓断熱システム。
【請求項１８】
前記貯蔵槽の下端部に設けられる貯蔵槽用ロータリーフィーダと、
前記ビーズ排出口と前記ビーズ排出管の連結部位に設けられるビーズ排出管用ロータリーフィーダと、
前記チャンバの底部と前記補助ビーズ排出管の連結部位に設けられる補助ビーズ排出管用ロータリーフィーダと、
を更に含むことを特徴とする請求項１３に記載の二重ガラス窓断熱システム。
【発明の詳細な説明】
【技術分野】
【０００１】
本発明は２枚の窓ガラス間のチャンバに複数のビーズを充填させて２枚の窓ガラス間を断熱、遮光及び防音したり、又はチャンバに収容された複数のビーズを排出して２枚の窓ガラスを通して眺望が可能な二重ガラス窓断熱システムに関し、より詳細には、チャンバに収容されたビーズを速かに排出すると同時に、チャンバに残留するビーズを低減できる二重ガラス窓断熱システムに関する。
【背景技術】
【０００２】
建築物において、窓ガラスは自然環境と室内環境とを隔離させ、かつ太陽光と新鮮な外気の供給路としての役割を果たすことにより、人に眺望と開放感を感じさせる必須の構成要素である。
【０００３】
近年、建築物の外観を美麗にするために窓とドアの大きさがますます大きくなる傾向にある。
【０００４】
そのため、建築物に用いられるエネルギーの節約のためには、必ずウィンドウを通じた熱損失の最小化が重要な課題である。
【０００５】
このような問題に対して、従来は二重ガラス窓の内部空間、例えば、チャンバに熱伝導率の低い気体を注入するガス封入二重ガラス窓、真空窓ガラス、低放射コーティングガラス、透過率調節ガラス、複層ガラスなどが開発されたが、大半が特殊な材料を用いることによって特別な製造技術が必要なため、コストが上昇し、普遍的に使用し難いのが現状である。
【０００６】
また、このような従来の多様な二重ガラス窓によって断熱効果が得られるとしても、日射熱の侵入を防ぐための別途のカーテンやブラインドなどが追加的に設置されなければならないという問題がある。
【０００７】
このような問題を改善するために、送風装置の送風により２枚のガラス間のチャンバに複数のビーズを充填させて２枚のガラス間を断熱、遮光及び防音したり、又はチャンバに充填された複数のビーズを排出して２枚のガラスを通して眺望が可能な二重ガラス窓断熱システムが開発されている。
【０００８】
ところが、このような複数のビーズを用いた二重ガラス窓断熱システムは、図１０に示すように、二重ガラス窓２１０のチャンバ２１１に充填された複数のビーズ１が送風装置（図示せず）の送風によりチャンバ２１１の底部領域に位置するビーズ排出口２１９を経由して貯蔵槽（図示せず）に排出されるとき、チャンバ２１１内で発生する流体の流れによりビーズ排出口２１９周辺のビーズ１のみ円滑にビーズ排出口２１９を通して排出され、チャンバ２１１のビーズ排出口２１９の反対側の底部領域に位置するビーズ１は限界角度をなし、例えば、ビーズ１はチャンバ２１１のビーズ排出口２１９の反対側に傾斜するように積層して停滞し、チャンバ２１１の底部領域の一側には常時、複数のビーズ１が残留するという問題がある。
【０００９】
そのため、このような残留ビーズにより窓ガラスを清潔に維持できないだけでなく、窓ガラスを通して鮮明な眺望を実現することが困難であるという問題がある。
【００１０】
また、このような従来の複数のビーズを用いた二重ガラス窓断熱システムでは、ビーズがチャンバと貯蔵槽との間を流動することによって、ビーズ間で静電気が発生してビーズ同士で凝集する。そのため、チャンバ又は貯蔵槽でビーズが円滑に流動しながら排出されず、停滞することにより、ボトルネック現象を起こし、特にチャンバに残留するビーズが増加して窓ガラスを清潔に維持できないことから、使用者の利便性を低減させ、送風装置の動力が消耗又は増大してシステム全体の性能を低下させるという問題がある。
【発明の概要】
【発明が解決しようとする課題】
【００１１】
そこで、本発明は上記事情に鑑みてなされたものであって、その目的は、チャンバに収容されたビーズの排出時にチャンバに収容されたビーズを停滞することなく速かに排出することができ、チャンバに残留するビーズを低減できる二重ガラス窓断熱システムを提供することにある。
【００１２】
また、本発明の他の目的は、ビーズで発生する静電気を最小化し、チャンバ又は貯蔵槽でビーズが円滑に流動しながら排出されることにより、ボトルネック現象を防止し、窓ガラスを清潔に維持できることから、使用者の利便性を向上させ、送風装置の動力消耗を低減してシステム全体の性能を向上させることができる二重ガラス窓断熱システムを提供することにある。
【課題を解決するための手段】
【００１３】
本発明の目的は、２枚の窓ガラスの間に形成されるチャンバと、前記チャンバに複数のビーズと空気が流入するビーズ流入口と、前記チャンバに収容された前記複数のビーズと空気が排出されるビーズ排出口と、前記チャンバに空気が出入りする空気出入口を形成する二重ガラス窓と、前記チャンバに収容された前記複数のビーズを前記ビーズ排出口に排出するビーズ排出手段とを含む、二重ガラス窓断熱システムにより達成されることができる。
【００１４】
ここで、前記ビーズ排出手段は、前記ビーズ排出口の反対側に前記チャンバと連通するように設けられ、前記チャンバに空気を流入するチャンバ空気流入管と、前記チャンバ空気流入管に設けられ、前記チャンバ空気流入管を開閉するチャンバ空気流入管用弁とを含むことができる。
【００１５】
前記ビーズ排出手段は、他の実施形態として、互いに長さが異なる複数のパイプで積層形成され、前記チャンバの底部又は前記チャンバ空気流入管に設けられ、前記チャンバ空気流入管に沿って流動する空気を前記ビーズ排出口に向かって噴射させる空気噴射部材を更に含むことができる。
【００１６】
前記ビーズ排出手段は、更に他の実施形態として、螺旋状を有し、前記ビーズ排出口に向かって前記チャンバの底部に回転可能に設けられるスクリュ軸と、前記スクリュ軸を回転させるスクリュ軸駆動モータとを含むことができる。
【００１７】
前記ビーズ排出手段は、別の実施形態として、前記チャンバの底部に設けられて無限軌道を形成し、前記チャンバに収容された前記複数のビーズを前記ビーズ排出口に向かって排出させるベルトコンベヤを含むことができる。
【００１８】
前記複数のビーズを貯蔵する貯蔵槽と、前記チャンバの空気を吸引送風又は圧入送風し、前記貯蔵槽に貯蔵された前記複数のビーズを前記チャンバに充填するか、又は前記チャンバに充填された前記複数のビーズを前記貯蔵槽に排出するメイン送風装置とを含むことができる。
【００１９】
前記貯蔵槽に繋がり、前記複数のビーズが流動するように案内するビーズ流動管と、前記ビーズ流動管から分岐され、前記ビーズ流入口に繋がるビーズ供給管と、前記ビーズ流動管から分岐され、前記ビーズ排出口に繋がるビーズ排出管と、前記貯蔵槽に繋がり、前記貯蔵槽から排出される空気の流動を案内する空気排出管と、前記空気出入口に繋がり、前記空気出入口に出入りする空気の流動を案内する空気流動管と、前記空気流動管及び前記空気排出管と連通し、前記メイン送風装置が設けられる連通管とを含むことができる。
【００２０】
前記空気流動管から分岐され、空気の流動を案内する分岐管と、前記分岐管に設けられ、前記分岐管を開閉する分岐管用弁と、前記分岐管に設けられ、前記分岐管と前記空気流動管を介して前記チャンバに圧入送風する補助送風装置とを更に含むことができる。
【００２１】
前記チャンバ空気流入管は、前記空気流動管又は前記分岐管から分岐されることができる。
【００２２】
前記ビーズ流動管に設けられ、前記ビーズ流動管を開閉するビーズ流動管用弁と、前記ビーズ供給管に設けられ、前記ビーズ供給管を開閉するビーズ供給管用弁と、前記ビーズ排出管に設けられ、前記ビーズ排出管を開閉するビーズ排出管用弁と、前記空気排出管に設けられ、前記空気排出管を開閉する空気排出管用弁と、前記空気流動管に設けられ、前記空気流動管を開閉する空気流動管用弁とを含み、前記複数のビーズが前記貯蔵槽から前記チャンバに充填されるとき、前記ビーズ流動管用弁と前記ビーズ供給管用弁は開放され、前記ビーズ排出管用弁は閉鎖され、前記複数のビーズが前記チャンバから前記貯蔵槽に排出されるとき、前記ビーズ流動管用弁と前記ビーズ排出管用弁は開放され、前記ビーズ供給管用弁は閉鎖されることができる。
【００２３】
また、前記ビーズ供給管又はビーズ流動管から分岐され、前記貯蔵槽に繋がるビーズ回収管と、前記ビーズ回収管に設けられ、前記ビーズ回収管を開閉するビーズ回収管用弁とを更に含み、前記複数のビーズが前記貯蔵槽から前記チャンバに充填されるとき、前記ビーズ回収管用弁は閉鎖され、前記複数のビーズが前記チャンバから前記貯蔵槽に排出されるとき、前記ビーズ回収管用弁は開放されることができる。
【００２４】
前記分岐管から前記ビーズ流動管又は前記貯蔵槽の下端に繋がり、前記補助送風装置から送風される空気を前記ビーズ流動管又は前記貯蔵槽の下端に流動するように案内する補助空気流動管と、前記補助空気流動管に設けられ、前記補助空気流動管を開閉する補助空気流動管用弁とを更に含むことができる。
【００２５】
前記チャンバと前記ビーズ流動管とを繋ぎ、前記チャンバから前記貯蔵槽に排出される前記複数のビーズが流動する補助ビーズ排出管と、前記補助ビーズ排出管に設けられ、前記補助ビーズ排出管を開閉する補助ビーズ排出管用弁とを更に含むことができる。
【００２６】
前記分岐管に設けられ、前記分岐管を流動する空気をイオン化させるイオン発生器と、前記分岐管に設けられ、前記分岐管を流動する空気の温度を調節する温度調節器と、前記分岐管に設けられ、前記分岐管を流動する空気の湿度を調節する湿度調節器とを更に含むことができる。
【００２７】
前記貯蔵槽に設けられ、前記貯蔵槽に収容された複数のビーズを攪拌する攪拌器を更に含むことができる。
【００２８】
前記貯蔵槽の温度を測定する温度測定センサと、前記貯蔵槽の湿度を測定する湿度測定センサと、前記貯蔵槽に収容された前記複数のビーズ間の静電気を測定する静電気測定センサとを更に含むことができる。
【００２９】
前記チャンバに設けられ、前記チャンバに空気のみ出入可能にするチャンバ用ビーズ遮断部材を更に含み、前記チャンバ用ビーズ遮断部材は、前記ビーズ流入口と前記ビーズ排出口の反対側に垂直に配置される「ｌ」字状の断面形状に前記チャンバに設けられるか、又は前記ビーズ流入口と前記ビーズ排出口の反対側に垂直に配置されるとともに、前記チャンバの上側に水平に配置される「逆Ｌ」字状の断面形状に前記チャンバに設けられるか、又は前記ビーズ流入口と前記ビーズ排出口の反対側に垂直に配置されるとともに、前記チャンバの下側に水平に配置される「Ｌ」字状の断面形状に前記チャンバに設けられるか、又は前記ビーズ流入口と前記ビーズ排出口の反対側に垂直に配置されるとともに、前記チャンバの上側と下側にそれぞれ水平に配置される「逆コ」字状の断面形状に前記チャンバに設けられることができる。
【００３０】
前記貯蔵槽の下端部に設けられる貯蔵槽用ロータリーフィーダと、前記ビーズ排出口と前記ビーズ排出管の連結部位に設けられるビーズ排出管用ロータリーフィーダと、前記チャンバの底部と前記補助ビーズ排出管の連結部位に設けられる補助ビーズ排出管用ロータリーフィーダとを更に含むことができる。
【発明の効果】
【００３１】
本発明によれば、チャンバに収容されたビーズの排出時にチャンバに収容されたビーズが停滞することなく速かに排出されることができ、チャンバに残留するビーズを低減できるという効果を奏する。また、ビーズで発生する静電気を最小化し、チャンバ又は貯蔵槽でビーズが円滑に流動しながら排出されることにより、ボトルネック現象を防止し、窓ガラスを清潔に維持できることから、使用者の利便性を向上させ、送風装置の動力消耗を低減してシステム全体の性能を向上させることができる。
【図面の簡単な説明】
【００３２】
【図１】本発明の一実施形態に係る二重ガラス窓断熱システムの構成図である。
【図２】図１の二重ガラス窓断熱システムの二重ガラス窓に複数のビーズが充填される過程を示す図である。
【図３】図１の二重ガラス窓断熱システムの二重ガラス窓から複数のビーズが排出される過程を示す図である。
【図４】図３のビーズ排出手段の作動を示すための要部拡大図である。
【図５】ビーズ排出手段の他の実施形態を示す構成図である。
【図６】図５の空気噴射部材の斜視図である。
【図７】ビーズ排出手段の更に他の実施形態を示す構成図である。
【図８】ビーズ排出手段の別の実施形態を示す構成図である。
【図９】本発明の他の実施形態に係る二重ガラス窓断熱システムの二重ガラス窓の構成図である。
【図１０】従来の二重ガラス窓のチャンバにおけるビーズの排出過程を示す要部拡大図である。
【発明を実施するための形態】
【００３３】
本発明の利点及び特徴、そしてそれらを達成する方法は、添付の図面と共に詳細に後述されている実施形態を参照すれば明確になる。しかし、本発明は以下で開示される実施形態に限定されるものではなく、互いに異なる多様な形態で実現されることができる。但し、本実施形態は本発明の開示を完全なものにし、本発明が属する技術分野における通常の技術者に本発明の範疇を完全に理解させるために提供されるものである。
【００３４】
本明細書で用いられた用語は実施形態を説明するためのものであり、本発明を制限しようとするものではない。本明細書において、単数型は特に言及しない限り複数型も含む。明細書で用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。明細書全体に亘って同一の図面符号は同一の構成要素を示し、「及び／又は」は言及された構成要素のそれぞれ及び１つ以上の全ての組み合わせを含む。たとえ「第１」、「第２」などが多様な構成要素を叙述するために用いられていても、これらの構成要素はこれらの用語により制限されないのはもちろんである。これらの用語は、単に１つの構成要素を他の構成要素と区別するために用いるものである。従って、以下で言及される第１構成要素は、本発明の技術的思想内で第２構成要素であることもできるのはもちろんである。
【００３５】
他の定義がなければ、本明細書で用いられる全ての用語（技術及び科学的用語を含む）は、本発明が属する技術分野における通常の技術者が共通して理解できる意味として用いられることができる。また、一般に用いられる辞典に定義されている用語は、明白に特に定義されていない限り、理想的に又は過度に解釈されない。
【００３６】
以下、添付の図面を参照し、本発明について詳細に説明する。
【００３７】
説明に先立ち、以下では本発明の一実施形態に係る二重ガラス窓断熱システムが１つの二重ガラス窓に適用されると説明しているが、本発明の技術的思想は、複数の二重ガラス窓にも適用され得ることを予め明らかにしておく。
【００３８】
また、多様な実施形態において、同一の構成を有する構成要素については同一の符号を用いて代表的に一実施形態で説明し、その他の実施形態では一実施形態と異なる構成についてのみ説明する。
【００３９】
図１〜図３には、本発明の一実施形態に係る二重ガラス窓断熱システムが示されている。
【００４０】
これらの図面に示すように、本発明の一実施形態に係る二重ガラス窓断熱システムは、二重ガラス窓１０とビーズ排出手段３０ａとを含む。
【００４１】
二重ガラス窓１０は、２枚の窓ガラスが一定間隔をおいて並んで配置され、窓枠（図示せず）に支持される構造を有する。
【００４２】
２枚の窓ガラスの間には内部空間が形成、例えば、チャンバ１１が形成される。チャンバ１１は、複数のビーズ１が充填された充填状態、又は複数のビーズ１を収容しない排出状態を有する。複数のビーズ１がチャンバ１１に充填される場合、二重ガラス窓１０は断熱、遮光及び防音を行うようになり、複数のビーズ１がチャンバ１１から排出された場合、二重ガラス窓１０を通して眺望できるようになる。
【００４３】
ここで、複数のビーズ１について簡略に説明すると、球状の粒子で断熱性を有するように内部が空気及びガスで満たされる。ビーズ１は、送風により流動性に優れた発泡スチロール素材からなることが好ましいが、ビーズ１の材質はこれに限定されず、他の種類の発泡フォームやハイドロゲルを用いることもできる。また、ビーズ１の色は日光を遮断するための白色、又は日光の透過のための透明色を有することが好ましい。夏には白色のビーズ１を用いて日光を遮断することによって断熱効果が得られ、冬には白色や透明材質のビーズ１を用いて所謂、プチプチ（気泡緩衝材）を貼ったような効果を提供し、ガラスの透明性確保により外部を眺望でき、断熱効果も得られる。一方、このようなビーズ１の色は限定されず、多様な色に製造されることができる。そして、ビーズ１の形状は球状以外に楕円形、多角形など多様な断面形状を有することができる。
【００４４】
一方、二重ガラス窓１０の下端部及び上端部は、それぞれチャンバ１１と連通するように開口されており、両側部は窓枠により密閉されている。
【００４５】
二重ガラス窓１０の一側部の上端には、例えば、二重ガラス窓１０間の窓枠上端部の一側には、チャンバ１１に複数のビーズ１と空気が流入するビーズ流入口１３が形成されている。
【００４６】
二重ガラス窓１０の上端部開口には、チャンバ１１に空気が出入りする空気出入口１５が形成されている。
【００４７】
空気出入口１５には、チャンバ用ビーズ遮断部材１７が設けられる。チャンバ用ビーズ遮断部材１７は長方形のプレート状を有し、二重ガラス窓１０の空気出入口１５に結合される。二重ガラス窓１０の各窓ガラス面に密着するチャンバ用ビーズ遮断部材１７の両側縁には、ビーズ１の直径よりも小さな半円形の断面形状を有する複数の空気通過孔（図示せず）が貫通形成されている。これにより、チャンバ用ビーズ遮断部材１７は、空気通過孔を通してチャンバ１１に空気のみ出入可能にし、ビーズ１が空気流動管９１に流入するのを防止する。ここで、空気通過孔は半円形の断面形状を有すると説明しているが、これに限定されず、空気通過孔はチャンバ用ビーズ遮断部材１７の長手方向に沿って１つ以上のスロット状に形成されることもできる。また、チャンバ用ビーズ遮断部材１７は、ビーズ１の直径よりも小さな直径を有する複数の通過孔が形成された網状に形成されることもできる。
【００４８】
一方、二重ガラス窓１０間の窓枠の底部の一側には、チャンバ１１に収容された複数のビーズ１と空気が排出されるビーズ排出口１９が形成されている。
【００４９】
また、二重ガラス窓１０には、チャンバ１１内部の圧力を測定する圧力測定センサ２１と、チャンバ１１内部のビーズ充填距離を測定する距離測定センサ２３が設けられている。ここで、距離測定センサとして超音波センサを設けることができる。
【００５０】
ビーズ排出手段３０ａは、チャンバ１１に収容された複数のビーズ１をビーズ排出口１９に排出させる役割を果たす。ビーズ排出手段３０ａは二重ガラス窓１０間の窓枠の底部の他側、例えば、ビーズ排出口１９と反対側に設けられる。本実施形態では、ビーズ排出手段３０ａとしてチャンバ空気流入管３１とチャンバ空気流入管用弁３３が設けられている。
【００５１】
チャンバ空気流入管３１は、中空のパイプ又はダクト状を有する。チャンバ空気流入管３１はチャンバ１１と連通し、ビーズ１が充填されたチャンバ１１に外部の空気が流入するように空気の流動を案内する役割を果たす。チャンバ空気流入管３１は、チャンバ１１を挟んでビーズ排出口１９と反対側に位置する。本実施形態では、チャンバ空気流入管３１が空気流動管９１を経由して分岐管１０１に繋がると示されているが、これに限定されず、チャンバ空気流入管３１は分岐管１０１に直接繋がるか、又は後述する補助空気流動管１１１に繋がるか、又は別途の送風器に繋がるか、又は独立して運営されることもできる。
【００５２】
チャンバ空気流入管３１には、チャンバ空気流入管３１を開閉するチャンバ空気流入管用弁３３が設けられている。チャンバ空気流入管用弁３３の開閉作動によりチャンバ空気流入管３１に沿ってチャンバ１１に流入する空気の流動を断続できるようになる。
【００５３】
このように、二重ガラス窓１０のチャンバ１１に充填された複数のビーズ１を貯蔵槽５０に排出するとき、チャンバ１１のビーズ排出口１９の反対側の底部領域で発生する残留ビーズ１は、チャンバ空気流入管３１を流動する外気がチャンバ１１の底部領域のビーズ排出口１９に向かって供給されることによって、チャンバ１１に充填された複数のビーズ１がビーズ排出口１９を通して排出されるとき、チャンバ１１のビーズ排出口１９の反対側の底部領域にビーズ１が傾斜するように積層して停滞せず、ビーズ排出口１９を通して貯蔵槽５０に円滑に排出される。これにより、チャンバ１１の底部領域にビーズ１が残留するのを解消できるようになる。
【００５４】
一方、チャンバ１１の底部には、ビーズ排出手段３０ｂの他の実施形態として、図５及び図６に示すように、チャンバ空気流入管３１に沿って流動する空気をビーズ排出口１９に向かって噴射させる空気噴射部材３５を追加で設けることができる。
【００５５】
空気噴射部材３５は、図６に示すように、互いに長さが異なる複数のパイプが積層形成された構造を有する。例えば、空気噴射部材３５は、チャンバ１１の底部に近いほど長さが異なり、長いパイプを配置し、チャンバ１１から遠ざかるほど相対的に長さが異なり、短いパイプを積層配置した１つの積層体に形成される。また、空気噴射部材３５の表面には、複数の空気噴射孔３７が貫通形成されている。
【００５６】
これにより、チャンバ空気流入管３１に流入した外気は、互いに長さが異なる複数のパイプを通過し、流速が増大すると同時に、チャンバ１１の互いに異なる位置でチャンバ１１のビーズ排出口１９に向かって噴射されることによって、チャンバ１１に充填された複数のビーズ１は、空気噴射部材３５から噴射される空気により発生する層流によりチャンバ１１の底部領域に残留せず、速かにビーズ排出口１９を通して貯蔵槽５０に排出される。特に、空気噴射部材３５に形成された複数の空気噴射孔３７を通して空気チャンバ１１の底部に向かって噴射される空気により、複数のビーズ１は、チャンバ１１の底部に滞留せず、ビーズ排出口１９に向かって円滑に排出できるようになる。
【００５７】
図７には、ビーズ排出手段３０ｃの更に他の実施形態が示されている。図示するように、ビーズ排出手段３０ｃは、前述したビーズ排出手段３０ａ、３０ｂと異なり、スクリュ軸４１とスクリュ軸駆動モータ４３とを含む。
【００５８】
スクリュ軸４１は螺旋状を有し、ビーズ排出口１９に向かってチャンバ１１の底部に回転可能に設けられる。
【００５９】
スクリュ軸駆動モータ４３は、二重ガラス窓１０の外側に設けられ、スクリュ軸４１を回転させる。
【００６０】
これにより、スクリュ軸駆動モータ４３を作動させると、スクリュ軸４１が螺旋運動を行いながら回転し、チャンバ１１のビーズ排出口１９の反対側の底部領域に位置するビーズ１を一定量ずつビーズ排出口１９に向かって移送する。これにより、チャンバ１１に残留するビーズ１は、チャンバ１１の底部領域に傾斜するように積層されず、ビーズ排出口１９を通して円滑に貯蔵槽５０に排出され、チャンバ１１の底部領域にビーズ１が残留するのを解消できるようになる。
【００６１】
ここで、本実施形態では、ビーズ排出手段としてチャンバ空気流入管３１とチャンバ空気流入管用弁３３とスクリュ軸４１とスクリュ軸駆動モータ４３が共に設けられていると示されているが、これに限定されず、ビーズ排出手段としてスクリュ軸４１とスクリュ軸駆動モータ４３のみ設けられることもできる。
【００６２】
また、図８には、ビーズ排出手段３０ｄの別の実施形態が示されている。図示するように、ビーズ排出手段３０ｄは、前述したビーズ排出手段３０ａ、３０ｂ、３０ｃと異なり、ベルトコンベヤ４５を含む。
【００６３】
ベルトコンベヤ４５はチャンバ１１の底部領域に設けられ、無限軌道を形成するベルト４７と、ベルト４７を回転させるローラ４９と、ローラ４９を回転させるベルト駆動モータ（図示せず）とを含む。
【００６４】
このように、チャンバ１１の底部領域にベルトコンベヤ４５を設けることによって、チャンバ１１のビーズ排出口１９の反対側の底部領域に位置するビーズ１はベルト４７に積層され、ビーズ排出口１９に向かって移送する。これにより、チャンバ１１に残留するビーズ１は、チャンバ１１の底部領域に傾斜するように積層されず、ビーズ排出口１９を通して円滑に貯蔵槽５０に排出され、チャンバ１１の底部領域にビーズ１が残留するのを解消できるようになる。
【００６５】
ここで、本実施形態では、ビーズ排出手段としてチャンバ空気流入管３１とチャンバ空気流入管用弁３３とベルトコンベヤ４５が共に設けられていると示されているが、これに限定されず、ビーズ排出手段としてベルトコンベヤ４５のみ設けられることもできる。
【００６６】
一方、本実施形態では、ビーズ排出手段３０ａ、３０ｂ、３０ｃ、３０ｄが、後述するメイン送風装置９７がチャンバ１１の空気を吸引送風し、貯蔵槽５０に貯蔵された複数のビーズ１をチャンバ１１に充填するか、又はチャンバ１１に充填された複数のビーズ１を貯蔵槽５０に排出させる二重ガラス窓断熱システムに適用されると説明しているが、これに限定されず、メイン送風装置９７がチャンバ１１の空気を圧入送風し、貯蔵槽５０に貯蔵された複数のビーズ１をチャンバ１１に充填するか、又はチャンバ１１に充填された複数のビーズ１を貯蔵槽５０に排出させる二重ガラス窓断熱システムにも適用することができる。即ち、前述したビーズ排出手段３０ａ、３０ｂ、３０ｃ、３０ｄは、貯蔵槽５０に貯蔵された複数のビーズ１をチャンバ１１に充填するか、又はチャンバ１１に充填された複数のビーズ１を貯蔵槽５０に排出させるとき、チャンバ１１の空気を吸引送風するか、又はチャンバ１１に空気を圧入送風する多様な形態の二重ガラス窓断熱システムに何れも適用することができる。
【００６７】
一方、本発明の一実施形態に係る二重ガラス窓断熱システムは、貯蔵槽５０と、ビーズ流動管７１と、ビーズ供給管７５と、ビーズ排出管８１と、空気排出管８５と、空気流動管９１と、連通管９５と、メイン送風装置９７とを含む。
【００６８】
貯蔵槽５０は、中孔の密閉された筒状を有し、複数のビーズ１を貯蔵する。
【００６９】
貯蔵槽５０の内側上部領域には、貯蔵槽用ビーズ遮断部材５１が設けられている。貯蔵槽用ビーズ遮断部材５１は、複数の通過孔（図示せず）が形成された網状を有する。貯蔵槽用ビーズ遮断部材５１に形成された複数の通過孔は、ビーズ１の直径よりも小さな直径を有し、これにより、貯蔵槽用ビーズ遮断部材５１は、貯蔵槽５０に流入した複数のビーズ１が空気排出管８５に流出されるのを防止する。
【００７０】
また、貯蔵槽５０には、貯蔵槽空気流入管５３が繋がっている。貯蔵槽空気流入管５３は、中空のパイプ又はダクト状を有する。貯蔵槽空気流入管５３は、貯蔵槽用ビーズ遮断部材５１と空気排出管８５との間の貯蔵槽５０の側壁に繋がっており、外部の空気が貯蔵槽５０内に、より具体的には貯蔵槽５０に貯蔵された複数のビーズ１の上方に流入するように空気の流動を案内する役割を果たす。
【００７１】
貯蔵槽空気流入管５３には、貯蔵槽空気流入管５３を開閉する貯蔵槽空気流入管用弁５５が設けられる。貯蔵槽空気流入管用弁５５の開閉作動により貯蔵槽空気流入管５３に沿って貯蔵槽５０に流入する空気の流動を断続できるようになる。
【００７２】
これにより、外部の空気を貯蔵槽５０に貯蔵された複数のビーズ１の上方に流入することによって、チャンバ１１にビーズ１を充填する際に、貯蔵槽５０に貯蔵された複数のビーズ１をボトルネック現象なしに貯蔵槽５０から円滑に排出させることができるようになる。
【００７３】
ここで、貯蔵槽空気流入管５３と貯蔵槽空気流入管用弁５５は、必要に応じて選択的に設けられることができる。
【００７４】
また、貯蔵槽５０は、貯蔵槽５０に収容された複数のビーズ１を攪拌する攪拌器６１を更に含む。攪拌器６１は、複数の羽根を有するインペラ６３と、インペラ６３を回転させる攪拌器用駆動モータ６５とを含む。
【００７５】
このように、貯蔵槽５０に攪拌器６１を設けることによって、貯蔵槽５０に貯蔵された複数のビーズ１を均一に混ぜ、ビーズ１間で発生する静電気によりビーズ１同士で凝集するのを解消するとともに、貯蔵槽５０に貯蔵された複数のビーズ１がボトルネック現象なしに貯蔵槽５０から円滑に排出できるようになる。
【００７６】
そして、貯蔵槽５０の外壁には、貯蔵槽５０の高さ方向に沿って透明な材質のサイトグラス（図示せず）を設置し、貯蔵槽５０に貯蔵されたビーズ１の量を肉眼で確認することもできる。
【００７７】
一方、貯蔵槽５０は、ビーズ流動管７１により二重ガラス窓１０のビーズ排出口１９と繋がる。ビーズ流動管７１は、中空のパイプ又はダクト状を有し、複数のビーズ１が流動するように案内する役割を果たす。
【００７８】
ビーズ流動管７１には、ビーズ流動管７１を開閉するビーズ流動管用弁７３が設けられている。ビーズ流動管用弁７３の開閉作動によりビーズ流動管７１に沿って流動するビーズ１の流動を断続できるようになる。
【００７９】
このようなビーズ流動管７１は、ビーズ供給管７５とビーズ排出管８１とに分岐される。
【００８０】
ビーズ供給管７５は、中空のパイプ又はダクト状を有し、ビーズ流動管７１から分岐されてビーズ流入口１３に繋がる。ビーズ供給管７５は、貯蔵槽５０から排出される複数のビーズ１をチャンバ１１に流動するように案内する役割を果たす。
【００８１】
ビーズ供給管７５には、ビーズ供給管７５を開閉するビーズ供給管用弁７７が設けられている。ビーズ供給管用弁７７の開閉作動によりビーズ供給管７５に沿って流動するビーズ１の流動を断続できるようになる。
【００８２】
ビーズ排出管８１は、中空のパイプ又はダクト状を有し、ビーズ流動管７１から分岐されてビーズ排出口１９に繋がる。ビーズ排出管８１は、チャンバ１１から排出される複数のビーズ１を貯蔵槽５０に流動するように案内する役割を果たす。
【００８３】
ビーズ排出管８１には、ビーズ排出管８１を開閉するビーズ排出管用弁８３が設けられている。ビーズ排出管用弁８３の開閉作動によりビーズ排出管８１に沿って流動するビーズ１の流動を断続できるようになる。
【００８４】
空気排出管８５は、中空のパイプ又はダクト状を有する。空気排出管８５は貯蔵槽５０の上部に繋がっており、貯蔵槽５０から排出される空気の流動を案内する役割を果たす。
【００８５】
空気排出管８５には、空気排出管８５を開閉する空気排出管用弁８７が設けられている。空気排出管用弁８７の開閉作動により空気排出管８５に沿って流動する空気の流動を断続できるようになる。
【００８６】
空気流動管９１は、中空のパイプ又はダクト状を有する。空気流動管９１は空気出入口１５に繋がっており、空気流動管９１を流動する空気の流動を案内する役割を果たす。
【００８７】
空気流動管９１には、空気流動管９１を開閉する空気流動管用弁９３が設けられている。空気流動管用弁９３の開閉作動により空気流動管９１に沿って流動する空気の流動を断続できるようになる。
【００８８】
連通管９５は、空気流動管９１及び空気排出管８５と連通するように空気流動管９１及び空気排出管８５に繋がる。
【００８９】
ここで、本発明の一実施形態に係る二重ガラス窓断熱システムは、ビーズ回収管７９ａとビーズ回収管用弁７９ｂとを更に含む。ビーズ回収管７９ａとビーズ回収管用弁７９ｂは、選択的に設けられることができる。
【００９０】
ビーズ回収管７９ａは、中空のパイプ又はダクト状を有し、ビーズ流動管７１から分岐されて貯蔵槽５０の上部領域に繋がる。ビーズ回収管７９ａは、チャンバ１１から排出されてビーズ排出管８１を通して流動する複数のビーズ１をビーズ流動管７１を経由して貯蔵槽５０の上部領域に流入するように案内する役割を果たす。ここで、図示してはいないが、ビーズ回収管７９ａはビーズ流動管７１から分岐されず、ビーズ供給管７５から分岐されて貯蔵槽５０の上部領域に繋がることができる。
【００９１】
ビーズ回収管用弁７９ｂはビーズ回収管７９ａに設けられ、ビーズ回収管７９ａを開閉する。ビーズ回収管用弁７９ｂの開閉作動によりビーズ回収管７９ａに沿って流動するビーズ１の流動を断続できるようになる。
【００９２】
メイン送風装置９７は連通管９５に設けられ、空気流動管９１を通してチャンバ１１の空気を吸引するか、又は空気排出管８５を通してチャンバ１１の空気を吸引する。ここで、メイン送風装置９７は通常の送風器、又はブロワ、又はエアコンプレッサ、又はポンプなどを適用することができる。
【００９３】
一方、メイン送風装置９７が空気流動管９１を通してチャンバ１１の空気を吸引するとき、貯蔵槽５０に貯蔵された複数のビーズ１をチャンバ１１に充填させる。このとき、ビーズ流動管用弁７３とビーズ供給管用弁７７と空気流動管用弁９３は開放され、ビーズ排出管用弁８３と空気排出管用弁８７は閉鎖される。
【００９４】
メイン送風装置９７が空気排出管８５を通してチャンバ１１の空気を吸引するとき、チャンバ１１に充填された複数のビーズ１をチャンバ１１から排出して貯蔵槽５０に貯蔵させる。このとき、ビーズ流動管用弁７３とビーズ排出管用弁８３と空気排出管用弁８７は開放され、ビーズ供給管用弁７７と空気流動管用弁９３は閉鎖される。
【００９５】
また、本発明の一実施形態に係る二重ガラス窓断熱システムは、分岐管１０１と、分岐管用弁１０３と、補助送風装置１０５とを更に含む。
【００９６】
分岐管１０１は、中空のパイプ又はダクト状を有する。分岐管１０１は空気流動管９１から分岐され、空気の流動を案内する役割を果たす。
【００９７】
分岐管用弁１０３は分岐管１０１に設けられ、分岐管１０１を開閉する。分岐管用弁１０３の開閉作動により分岐管１０１に沿って流動する空気の流動を断続する。
【００９８】
補助送風装置１０５は分岐管１０１に設けられ、分岐管１０１と空気流動管９１を通してチャンバ１１に圧入送風する。補助送風装置１０５により分岐管１０１と空気流動管９１を通してチャンバ１１に流入する空気は、チャンバ用ビーズ遮断部材１７の各空気通過孔を通過して窓ガラス面に沿ってチャンバ１１に流入し、各窓ガラス面に静電気力により付着された残留ビーズ１を除去し、残留ビーズ１と共にビーズ排出口１９を通してビーズ排出管８１に流動する。ここで、補助送風装置１０５の前端には、分岐管１０１を流動する空気を濾過するためのエアフィルタ１０７が設けられることができる。
【００９９】
また、補助送風装置１０５により分岐管１０１を経由して空気流動管９１に沿って流動する一部の空気は、チャンバ空気流入管３１に流入し、チャンバ１１の底部領域に設けられたビーズ排出口１９に向かって供給されることによって、チャンバ１１に充填された複数のビーズ１がビーズ排出口１９を通して排出されるとき、チャンバ１１のビーズ排出口１９の反対側の底部領域にビーズ１が傾斜するように積層して停滞せず、速かにビーズ排出口１９を通して貯蔵槽５０に排出される。これにより、チャンバ１１の底部領域にビーズ１が残留するのを解消できるようになる。
【０１００】
従って、二重ガラス窓１０のチャンバ１１から複数のビーズ１を排出するとき、二重ガラス窓１０の窓ガラス面に付着されている残留ビーズ１だけでなく、チャンバ１１のビーズ排出口１９の反対側の底部領域に位置する残留ビーズ１を最小化し、窓ガラスを清潔に維持できるようになる。
【０１０１】
ここで、補助送風装置１０５は通常の送風器、又はブロワ、又はエアコンプレッサ、又はポンプなどが適用されることができる。
【０１０２】
そして、本発明の一実施形態に係る二重ガラス窓断熱システムは、補助空気流動管１１１と、補助空気流動管用弁１１３とを更に含む。
【０１０３】
補助空気流動管１１１は、中空のパイプ又はダクト状を有する。補助空気流動管１１１は、分岐管１０１とビーズ流動管７１又は貯蔵槽５０の下端に繋がり、補助送風装置１０５から送風される空気をビーズ流動管７１又は貯蔵槽５０の下端に流動するように案内する役割を果たす。補助空気流動管１１１は、ビーズ流動管７１又は貯蔵槽５０の下端との境にビーズ１よりも小さな孔からなる網を設置してビーズ１の流れを阻止する。
【０１０４】
補助空気流動管用弁１１３は、補助空気流動管１１１に設けられ、補助空気流動管１１１を開閉する。補助空気流動管用弁１１３の開閉作動により補助空気流動管１１１に沿ってビーズ流動管７１に流入する空気の流動を断続できるようになる。
【０１０５】
このように、補助送風装置１０５から送風される空気を補助空気流動管１１１を経由してビーズ流動管７１又は貯蔵槽５０の下端に流入することによって、チャンバ１１にビーズ１を充填するとき、貯蔵槽５０から排出される複数のビーズ１の流動性を向上させて、複数のビーズ１は貯蔵槽５０からビーズ流動管７１に沿って円滑にチャンバ１１に流動できるようになる。
【０１０６】
ここで、補助空気流動管１１１と補助空気流動管用弁１１３は、必要に応じて選択的に設けられることができる。
【０１０７】
そして、本発明の一実施形態に係る二重ガラス窓断熱システムは、補助ビーズ排出管１１５と、補助ビーズ排出管用弁１１７とを更に含む。
【０１０８】
補助ビーズ排出管１１５は、中空のパイプ又はダクト状を有する。補助ビーズ排出管１１５は、チャンバ１１の底部とビーズ流動管７１に繋がり、チャンバ１１から貯蔵槽５０に排出される複数のビーズ１が流動するように案内する役割を果たす。
【０１０９】
補助ビーズ排出管用弁１１７は、補助ビーズ排出管１１５に設けられ、補助ビーズ排出管１１５を開閉する。補助ビーズ排出管用弁１１７の開閉作動により補助ビーズ排出管１１５に沿ってビーズ流動管７１に流入するビーズ１の流動を断続できるようになる。
【０１１０】
このように、補助ビーズ排出管１１５を更に備えることによって、チャンバ１１に充填された複数のビーズ１をビーズ排出口１９を通して貯蔵槽５０に排出するとき、迂回排出路としての役割を果たし、ビーズ排出口１９で発生するボトルネック現象を防止できるようになる。
【０１１１】
ここで、補助ビーズ排出管１１５と補助ビーズ排出管用弁１１７は、必要に応じて選択的に設けられることができる。
【０１１２】
また、本発明の一実施形態に係る二重ガラス窓断熱システムは、複数のビーズ１が互いに衝突し、チャンバ１１と貯蔵槽５０との間を往復移動することによって発生する静電気を最小化するための静電気最小化装置が設けられる。
【０１１３】
静電気最小化装置として、イオン発生器１２１と温度調節器１２３と湿度調節器１２５とを含む。イオン発生器１２１と温度調節器１２３と湿度調節器１２５はそれぞれ分岐管１０１に設けられ、イオン発生器１２１は分岐管１０１を流動する空気をイオン化させ、温度調節器１２３は分岐管１０１を流動する空気の温度を調節し、湿度調節器１２５は分岐管１０１を流動する空気の湿度を調節する。
【０１１４】
ここで、温度調節器１２３として加熱器及び冷却器を設けることができ、湿度調節器１２５として除湿器及び加湿器を設けることができる。
【０１１５】
また、静電気最小化装置として、温度測定センサ１３１と湿度測定センサ１３３と静電気測定センサ１３５とを含む。温度測定センサ１３１と湿度測定センサ１３３と静電気測定センサ１３５は、それぞれ貯蔵槽５０に設けられ、温度測定センサ１３１は貯蔵槽５０内部の温度を測定し、湿度測定センサ１３３は貯蔵槽５０内部の湿度を測定し、静電気測定センサ１３５は貯蔵槽５０に収容された複数のビーズ１間の静電気を測定する。
【０１１６】
これにより、貯蔵槽５０に貯蔵された複数のビーズ１をチャンバ１１に排出する前に、静電気測定センサ１３５は、貯蔵槽５０に貯蔵されたビーズ１の静電気を測定してビーズ１の静電気値が基準値以上であれば、図示しない制御部の制御により補助送風装置１０５とイオン発生器１２１と、攪拌器６１の攪拌器用駆動モータ６５と、メイン送風装置９７を作動させる。このとき、貯蔵槽５０に設けられた温度測定センサ１３１と湿度測定センサ１３３によりそれぞれ測定された温度データと湿度データに基づいて、貯蔵槽５０に貯蔵された各ビーズ１間で静電気が発生しないように分岐管１０１を流動する空気の温度及び湿度を調節する。
【０１１７】
そして、イオン発生器１２１によりイオン化された空気が補助空気流動管１１１を経由して貯蔵槽５０の内部に供給されるように、補助空気流動管用弁１１３を開放すると同時に、分岐管用弁１０３が閉鎖される。
【０１１８】
また、空気排出管用弁８７を開放して貯蔵槽５０に流入した空気を空気排出管８５及び連通管９５を経由してメイン送風装置９７を通して外部に排出させる。このとき、空気流動管用弁９３は閉鎖される。
【０１１９】
一方、貯蔵槽５０で攪拌器６１により攪拌されているビーズ１は、貯蔵槽５０の内部に流入したイオン化された空気と混合されながら静電気を最小化するようになる。そして、静電気測定センサ１３５により測定された静電気値が基準値以下であれば、補助送風装置１０５と、イオン発生器１２１と、攪拌器６１の攪拌器用駆動モータ６５と、メイン送風装置９７が作動停止される。
【０１２０】
これにより、貯蔵槽５０に貯蔵された複数のビーズ１は、静電気が最小化した状態で貯蔵されるようになる。
【０１２１】
このように、静電気最小化装置を設けることによって、ビーズ１で発生する静電気を最小化し、ビーズ１間の静電気力によりビーズ１が互いに絡むのを防止し、ビーズ流動管７１でビーズ１によりボトルネック現象が発生するのを低減させることもできる。また、チャンバ１１又は貯蔵槽５０でビーズ１が円滑に流動しながら排出されることにより、ボトルネック現象を防止し、窓ガラスを清潔に維持できることから、使用者の利便性を向上させ、メイン送風装置９７の動力消耗を低減してシステム全体の性能を向上させることができる。
【０１２２】
一方、本発明の一実施形態に係る二重ガラス窓断熱システムは、貯蔵槽５０の下端部に貯蔵槽用ロータリーフィーダ１４１が設けられ、ビーズ排出口１９とビーズ排出管８１の連結部位にビーズ排出管用ロータリーフィーダ１４３が設けられ、チャンバ１１の底部と補助ビーズ排出管１１５の連結部位に補助ビーズ排出管用ロータリーフィーダ１４５が設けられることができる。
【０１２３】
これにより、複数のビーズ１を貯蔵槽５０に引き込み及び引き出すとき、複数のビーズ１は、貯蔵槽用ロータリーフィーダ１４１により一定量ずつビーズ流動管７１又は貯蔵槽５０に流入し、貯蔵槽５０のビーズ出口領域でボトルネック現象が発生するのを低減できるようになる。
【０１２４】
また、チャンバ１１に充填された複数のビーズ１を貯蔵槽５０に貯蔵するとき、チャンバ１１に充填された複数のビーズ１は、ビーズ排出管用ロータリーフィーダ１４３及び補助ビーズ排出管用ロータリーフィーダ１４５によりそれぞれ、一定量ずつビーズ排出管８１及び補助ビーズ排出管１１５に流入し、チャンバ１１のビーズ出口領域でボトルネック現象が発生するのを低減できるようになる。
【０１２５】
ここで、本実施形態では、貯蔵槽５０の下端部に貯蔵槽用ロータリーフィーダ１４１が設けられ、ビーズ排出口１９とビーズ排出管８１の連結部位にビーズ排出管用ロータリーフィーダ１４３が設けられ、チャンバ１１の底部と補助ビーズ排出管１１５の連結部位に補助ビーズ排出管用ロータリーフィーダ１４５が設けられると示されているが、これに限定されず、ロータリーフィーダの代りに、スライドゲートがそれぞれ設けられることができる。
【０１２６】
一方、前述したビーズ流動管７１、ビーズ供給管７５、ビーズ排出管８１、空気排出管８５、空気流動管９１、連通管９５、分岐管１０１、補助空気流動管１１１、貯蔵槽空気流入管５３、チャンバ空気流入管３１、補助ビーズ排出管１１５は静電気を最小化するために伝導性物質からなることが効果的である。また、前述したビーズ流動管用弁７３、ビーズ供給管用弁７７、補助ビーズ排出管用弁１１７、空気排出管用弁８７、空気流動管用弁９３、分岐管用弁１０３、補助空気流動管用弁１１３、貯蔵槽空気流入管用弁５５、チャンバ空気流入管用弁３３、補助ビーズ排出管用弁１１７はソレノイド弁、又はモータの駆動により開閉作動を行うモータ電動弁からなることができる。
【０１２７】
このような構成によって、図１〜図３を用いて、本発明の一実施形態に係る二重ガラス窓断熱システムの作動について説明すれば、以下の通りである。
【０１２８】
まず、図１に示すように、貯蔵槽５０に複数のビーズ１が貯蔵され、二重ガラス窓１０のチャンバ１１には複数のビーズ１が充填されていない状態で、チャンバ１１に複数のビーズ１を充填する過程について説明する。
【０１２９】
ビーズ流動管用弁７３とビーズ供給管用弁７７と空気流動管用弁９３を開放し、ビーズ排出管用弁８３と補助ビーズ排出管用弁１１７と空気排出管用弁８７とビーズ回収管用弁７９ｂを閉じた状態で、メイン送風装置９７を作動させる。
【０１３０】
メイン送風装置９７が作動することによって、図２に示すように、メイン送風装置９７は連通管９５と、空気流動管９１と、チャンバ１１と、ビーズ供給管７５と、ビーズ流動管７１に存在する空気を吸引する。このとき、空気排出管用弁８７が閉じられているので、貯蔵槽５０内部の空気は、空気排出管８５を通してメイン送風装置９７により吸引されない。
【０１３１】
メイン送風装置９７の吸引作用により連通管９５と、空気流動管９１と、チャンバ１１と、ビーズ供給管７５と、ビーズ流動管７１には負圧が発生し、これにより、貯蔵槽５０に貯蔵された複数のビーズ１は、ビーズ流動管７１とビーズ供給管７５に沿って流動してチャンバ１１の上部領域に流入する。
【０１３２】
一方、複数のビーズ１がチャンバ１１に流入する途中又は流入する前に、貯蔵槽空気流入管５３に設けられた貯蔵槽空気流入管用弁５５を開放し、貯蔵槽５０よりも相対的に圧力が高い外部の空気を貯蔵槽５０に貯蔵された複数のビーズ１の上方に流入することによって、貯蔵槽５０に貯蔵された複数のビーズ１をボトルネック現象なしに貯蔵槽５０から円滑に排出させることもできる。
【０１３３】
また、補助空気流動管１１１に設けられた補助空気流動管用弁１１３を開放し、補助空気流動管１１１に空気を送風するように補助送風装置１０５を作動し、補助送風装置１０５から送風される空気を補助空気流動管１１１を経由してビーズ流動管７１に流入することによって、貯蔵槽５０から排出される複数のビーズ１の流動性を向上させ、複数のビーズ１は貯蔵槽５０からビーズ流動管７１に沿って円滑にチャンバ１１に流動することもできる。このとき、分岐管１０１に設けられた分岐管用弁１０３を閉じて、補助送風装置１０５から送風される空気が分岐管１０１を通して空気流動管９１に流入しないようにする。
【０１３４】
チャンバ１１に流入した複数のビーズ１は、二重ガラス窓１０の上端部から下端部に向かって自由落下し、図２に示すように、チャンバ１１の領域全体に充填される。このとき、チャンバ１１に充填される複数のビーズ１は、空気出入口１５に設けられたチャンバ用ビーズ遮断部材１７により空気流動管９１への流出が阻止される。
【０１３５】
そして、複数のビーズ１と共にチャンバ１１に流入した空気は、チャンバ用ビーズ遮断部材１７を通過し、空気流動管９１を経由してメイン送風装置９７を通して外部に排出される。
【０１３６】
貯蔵槽５０に貯蔵された複数のビーズ１がチャンバ１１の領域全体に充填された後、開放されていたビーズ流動管用弁７３とビーズ供給管用弁７７と空気流動管用弁９３を閉じ、同時に貯蔵槽空気流入管用弁５５と補助空気流動管用弁１１３を閉じる。
【０１３７】
そして、メイン送風装置９７の作動を停止することによって、二重ガラス窓１０のチャンバ１１は、複数のビーズ１が充填された状態になり、これにより、二重ガラス窓１０を通して断熱、遮光及び防音を向上させることができるようになり、別途のカーテンやブラインドの追加の設置が不要になる。
【０１３８】
ここで、本実施形態でのビーズ回収管７９ａとビーズ回収管用弁７９ｂを具備しない場合、ビーズ流動管用弁７３とビーズ供給管用弁７７と空気流動管用弁９３を開放し、ビーズ排出管用弁８３と補助ビーズ排出管用弁１１７と空気排出管用弁８７を閉じた状態で、メイン送風装置９７を作動させて貯蔵槽５０に貯蔵された複数のビーズ１をビーズ流動管７１とビーズ供給管７５を経由してチャンバ１１の上部領域に流入し、複数のビーズ１をチャンバ１１に充填することができる。
【０１３９】
以下、図２に示すように、二重ガラス窓１０のチャンバ１１に複数のビーズ１が充填された状態で貯蔵槽５０に複数のビーズ１を排出する過程について説明する。
【０１４０】
図３に示すように、ビーズ流動管用弁７３とビーズ排出管用弁８３と空気排出管用弁８７とビーズ回収管用弁７９ｂを開放し、空気流動管用弁９３を閉じた状態で、メイン送風装置９７を作動させる。
【０１４１】
メイン送風装置９７が作動することによって、メイン送風装置９７は連通管９５と、空気排出管８５と、貯蔵槽５０と、ビーズ流動管７１と、ビーズ回収管７９ａと、ビーズ供給管７５と、ビーズ排出管８１と、チャンバ１１に存在する空気を吸引する。このとき、空気流動管用弁９３が閉じられているので、チャンバ１１の空気は、空気流動管９１を通してメイン送風装置９７に吸引されない。
【０１４２】
メイン送風装置９７の吸引作用により連通管９５と、空気排出管８５と、貯蔵槽５０と、ビーズ流動管７１と、ビーズ回収管７９ａと、ビーズ排出管８１と、チャンバ１１には負圧が発生し、これによりチャンバ１１に充填された一部のビーズ１は、ビーズ排出管８１を経由してビーズ流動管７１に沿って流動し、貯蔵槽５０の底部に流入し、残りのビーズ１はビーズ排出管８１を経由してビーズ流動管７１とビーズ回収管７９ａに沿って流動し、貯蔵槽５０の上部に流入する。
【０１４３】
一方、複数のビーズ１が貯蔵槽５０に流入する途中又は流入する前に、チャンバ空気流入管用弁３３を開放するか、又は分岐管用弁１０３を開放した後、補助送風装置１０５を稼動してチャンバ１１に外気を供給することもできる。
【０１４４】
ここで、本実施形態でのビーズ回収管７９ａとビーズ回収管用弁７９ｂを具備しない場合、ビーズ流動管用弁７３とビーズ排出管用弁８３と空気排出管用弁８７を開放し、空気流動管用弁９３を閉じた状態でメイン送風装置９７を作動させてチャンバ１１に充填されたビーズ１をビーズ排出管８１とビーズ流動管７１を経由して貯蔵槽５０の底部に流入し、複数のビーズ１をチャンバ１１から排出できる。
【０１４５】
チャンバ１１から複数のビーズ１を排出した後、一部のビーズ１が窓ガラス面に静電気力により付着されるか、チャンバ１１の底部領域に残るようになる。
【０１４６】
これにより、分岐管用弁１０３とチャンバ空気流入管用弁３３を開放し、補助送風装置１０５を追加で作動させる。このとき、補助空気流動管１１１に設けられた補助空気流動管用弁１１３を閉じて、補助送風装置１０５から送風される空気が補助空気流動管１１１を通してビーズ流動管７１又は貯蔵槽５０に流入しないようにする。
【０１４７】
補助送風装置１０５が作動することによって、補助送風装置１０５は分岐管１０１に向かって空気を送風し、分岐管１０１に送風された一部の空気は空気流動管９１を経由してチャンバ用ビーズ遮断部材１７の各空気通過孔を通過して窓ガラス面に沿ってチャンバ１１に流入し、各窓ガラス面に静電気力により付着された残余ビーズ１を除去し、残余ビーズ１はビーズ排出口１９を通してビーズ排出管８１に流動する。
【０１４８】
また、分岐管１０１に送風された残りの空気は、チャンバ空気流入管３１を経由してチャンバ１１の底部領域に流入する。チャンバ１１よりも相対的に圧力が高い外部の空気がチャンバ１１の底部領域に流入してビーズ排出口１９に向かって噴射されることによって、チャンバ１１のビーズ排出口１９の反対側の底部領域にビーズ１が傾斜するように積層して停滞せず、速かにビーズ排出口１９を通して貯蔵槽５０に排出され、チャンバ１１の底部領域にビーズ１が残留するのを解消できるようになる。
【０１４９】
これにより、二重ガラス窓１０の窓ガラス面に付着されているビーズ１とチャンバ１１の底部領域に残留するビーズ１の量を最小化し、窓ガラスを清潔に維持できるようになる。
【０１５０】
一方、チャンバ１１から排出されて貯蔵槽５０に貯蔵される複数のビーズ１は、貯蔵槽５０に設けられた貯蔵槽用ビーズ遮断部材５１により空気排出管８５への流出が阻止される。
【０１５１】
そして、複数のビーズ１と共に貯蔵槽５０に流入した空気は、貯蔵槽用ビーズ遮断部材５１を通過して空気排出管８５と連通管９５を経由してメイン送風装置９７を通して外部に排出される。
【０１５２】
チャンバ１１から排出された複数のビーズ１が貯蔵槽５０に貯蔵された後、図１に示すように、開放されていたビーズ流動管用弁７３とビーズ排出管用弁８３と空気排出管用弁８７とビーズ回収管用弁７９ｂを閉じ、同時に分岐管用弁１０３を閉じる。
【０１５３】
そして、メイン送風装置９７の作動を停止することによって、二重ガラス窓１０のチャンバ１１は、複数のビーズ１が排出された状態になり、これにより二重ガラス窓１０を通して眺望できるようになる。
【０１５４】
一方、図９には、本発明の他の実施形態に係る二重ガラス窓断熱システムの二重ガラス窓の構成図が示されている。
【０１５５】
図示するように、本発明の他の実施形態に係る二重ガラス窓断熱システムの二重ガラス窓は、前述した実施形態とは異なり、チャンバ用ビーズ遮断部材１７がビーズ流入口１３とビーズ排出口１９の反対側に垂直に配置されると同時に、チャンバ１１の上側と下側にそれぞれ水平に配置される「逆コ」字状の断面形状を有し、チャンバ１１に設けられている。
【０１５６】
これにより、チャンバ１１に充填された複数のビーズ１は、チャンバ用ビーズ遮断部材１７の空気通過孔に流入する空気によりチャンバ１１の底部に残留せず、ビーズ排出口１９を通して貯蔵槽５０に円滑に流動できるようになる。
【０１５７】
一方、チャンバ１１の底部領域に向かうほど、チャンバ用ビーズ遮断部材１７に形成される空気通過孔（図示せず）間の間隔を狭く形成することによって、チャンバ１１に充填された複数のビーズ１を貯蔵槽５０に排出するとき、複数のビーズ１をより撹乱させてチャンバ１１の底部にビーズ１が残留するのを更に防止できるようになる。
【０１５８】
ここで、本実施形態では、チャンバ用ビーズ遮断部材１７が「逆コ」字状の断面形状にチャンバ１１に設けられると示されているが、これに限定されず、チャンバ用ビーズ遮断部材１７は、ビーズ流入口１３とビーズ排出口１９の反対側に垂直に配置される「ｌ」字状の断面形状にチャンバ１１に設けられるか、又はビーズ流入口１３とビーズ排出口１９の反対側に垂直に配置されると同時に、チャンバ１１の上側に水平に配置される「逆Ｌ」字状の断面形状にチャンバ１１に設けられるか、又はビーズ流入口１３とビーズ排出口１９の反対側に垂直に配置されると同時に、チャンバ１１の下側に水平に配置される「Ｌ」字状の断面形状にチャンバ１１に設けられることもできる。
【図１】
2020516799.tif 000003
【図２】
2020516799.tif 000004
【図３】
2020516799.tif 000005
【図４】
2020516799.tif 000006
【図５】
2020516799.tif 000007
【図６】
2020516799.tif 000008
【図７】
2020516799.tif 000009
【図８】
2020516799.tif 000010
【図９】
2020516799.tif 000011
【図１０】
2020516799.tif 000012
【国際調査報告】
2020516799.tif 000013
2020516799.tif 000014
2020516799.tif 000015
2020516799.tif 000016